(57)【要約】地理的位置に基づいて移動体電話装置を自動的に再構成するシステムである。図示された実施例で本発明は記憶装置40と実行装置70とを備えている。記憶装置40はユーザが特定の位と置その位置に対応する所望の形態とを記憶することを可能にする。実行装置70は電話装置の位置を監視し、記憶された位置の入力においてその位置に対応する形態を実行する。実行装置70はまた電話装置が記憶された位置から出た後、それらの設備を設定するような形態に復帰する。【選択図】図１
2004530328.tif 000002
【特許請求の範囲】
【請求項１】
位置に基づいて移動体電話装置の形態を自動的に再構成するシステムにおいて、
１以上の位置に対応する所望の形態嗜好を記憶する第１の手段と、
移動体電話装置の現在の位置がその電話装置が前記位置の予め定められた範囲内にあることを示すときにはその嗜好にしたがって前記電話装置の形態を自動的に再構成する第２の手段とを具備しているシステム。
【請求項２】
前記第１の手段は、１以上の位置パラメータによって前記位置を規定し、
ユーザから前記位置に対する前記形態嗜好を受取り、
前記位置パラメータおよび前記形態嗜好をメモリ装置に記憶する請求項１記載のシステム。
【請求項３】
前記位置パラメータは中心座標および半径である請求項２記載のシステム。
【請求項４】
前記中心座標は位置決定装置から受取られる請求項３記載のシステム。
【請求項５】
前記半径はユーザにより入力され、またはユーザにより少なくとも２つの予め定められた半径から選択される請求項３記載のシステム。
【請求項６】
前記第１の手段はさらに、ユーザに前に記憶された位置を選択して前記位置に対する形態嗜好を編集する請求項２記載のシステム。
【請求項７】
前記第２の手段は、前記電話装置の現在の位置を周期的に検査し、
電話装置が記憶された位置に入ったかそこから出たかを決定し、
前記位置に入ったとき前記位置に対応する形態嗜好を適用し、または、前記位置を出たときデフォルト形態嗜好を適用する請求項１記載のシステム。
【請求項８】
前記電話装置が記憶された位置に入ったかそこから出たかを決定する手段は、
前記第２の手段の前の反復中、電話装置の以前の位置を記憶し、
前記以前の位置を前記現在の位置と比較する請求項７記載のシステム。
【請求項９】
位置に基づいて移動体電話装置の形態を自動的に再構成するシステムにおいて、
１以上の位置に対応する所望の形態嗜好を記憶するためにコンピュータ読取り可能な媒体に記憶されているコードと、
移動体電話装置の現在の位置がその電話装置が前記位置の予め定められた範囲内にあることを示すとき、その嗜好にしたがって前記電話装置の形態を自動的に再構成するためのコンピュータ読取り可能な媒体に記憶されているコードとを有しているシステム。
【請求項１０】
位置に基づいて移動体電話装置の形態を自動的に再構成する方法において、
１以上の位置に対応する所望の形態嗜好を記憶し、
移動体電話装置の現在の位置がその電話装置が前記位置の予め定められた範囲内にあることを示すとき、その嗜好にしたがって前記電話装置の形態を自動的に再構成するステップを含んでいる再構成方法。
【発明の詳細な説明】
【技術分野】
【０００１】
本発明は、電子回路およびシステムに関し、特に、本発明はセルラ電話装置に関する。
【背景技術】
【０００２】
多くの移動体電話装置は現在、リンギングスタイル、振動モード、呼転送等の複数の形態オプションを提供している。ある特定の位置において、ユーザは自分の電話装置の形態設定を習慣的に変更する可能性がある。例えば、ムービーシアターに入ったときにはリンギングはオフにされ、振動モードが付勢される。ムービーシアターを出るとユーザは呼鈴装置を再度付勢することを忘れてはならない。頻繁にムービーシアターに行くときには、頻繁に手動による電話装置の形態の変更を行わなければならない。ムービーシアターの位置を思い出してその位置に入ったときには自動的に呼鈴装置を消勢する（およびそこを出たときに再度付勢する）ことができる電話装置はこの問題を緩和する。しかしながら、現在の移動体電話装置はこのような能力は備えていない。
【発明の開示】
【発明が解決しようとする課題】
【０００３】
したがって、地理的な位置に基づいて移動体電話装置における形態の特徴を自動的に形成することができるように構成されたシステムが技術的に必要とされている。
【課題を解決するための手段】
【０００４】
この要求は本発明によって解決される。本発明は、地理的位置に基づいて移動体電話装置を自動的に再構成するシステムを提供する。例示された実施形態では、本発明は、記憶装置と実行装置とを備えている。記憶装置はユーザが特定の位置およびその位置に対応する所望の形態を記憶することを可能にする。実行装置は、電話装置の位置を監視し、記憶された位置に入ったときその位置に対応する形態の変更を実行する。実行装置はまた、電話装置が記憶された位置から出た後、形態を前の設定に戻す。好ましい実施形態では記憶装置と実行装置はマイクロプロセッサを動作させるソフトウエアで構成されている。
【実施例】
【０００５】
添付図面を参照にして例示的な実施形態および例示的な応用を説明して本発明の有効な技術を開示する。
本願発明はここで特定の例示的な実施形態を参照にして説明するが、本発明はそれに限定されないことを理解すべきである。当業者は本発明の技術的範囲内において付加的な変形、応用および実施形態、ならびに本発明が顕著に利用される付加的な分野を認識するであろう。
【０００６】
図１は、本発明による位置に基づいて電話装置の形態を自動的に再構成するシステムを有する移動体電話装置100 のブロック図である。電話装置は自動的形態構成システム200 を除いて通常の設計および構成であり、アンテナ10、ＣＤＭＡトランシーバ12、マイクロプロセッサ14、メモリ18、ユーザ入出力インターフェース16、位置情報を受信するアンテナ20、およびＧＰＳ（グローバル位置決定システム）トランシーバのような位置決定装置22を備えている。
【０００７】
自動的形態構成システム200 は記憶装置40および実行装置70を備えている。記憶装置40はユーザが特定の位置およびその位置に対応する所望の形態を記憶することを可能にする。実行装置70は電話装置の位置を監視し、記憶された位置に入ったときその位置に対応する形態の設定を実行する。実行装置70はまた記憶された位置から電話装置が出た後、前に設定された形態に戻す。好ましい実施形態では記憶装置40および実行装置70はマイクロプロセッサ14で動作するソフトウエアで構成されている。
【０００８】
図２は、本発明により設計された位置およびユーザ嗜好を記憶するための記憶装置40の動作のフロー図である。電話装置は記憶動作中は記憶されるべき位置に存在しなければならない。最良の結果を得るためには、電話装置は記憶されるべき位置のほぼ中心に位置していなければならない。記憶動作はステップ42で開始され、ユーザが記憶したい新しい位置の名称を入力するか、または予め定められた記憶スロットの限定された番号の１つを選択することをユーザに促す。
【０００９】
記憶機能はその後、記憶すべき位置をその中心座標および半径によって規定する。ステップ44において、装置は位置決定装置22から電話装置の現在の位置を受信する。これはその位置の中心座標として記憶される位置である。ステップ46で電話装置はユーザに位置の半径を入力することを促す。その代わりに、電話装置はユーザに対して予め定められた限定された数の半径値、例えば小さい値（２０フィート）、中間値（５０フィート）、大きい値（１００フィート）から選択するように求めることもできる。続いて、電話装置がその中心および半径によって規定された領域内にある場合には常に、自動形態システムはこの記憶される位置に電話装置が位置していると考える。
【００１０】
次にステップ48において記憶装置は電話装置がこの位置にあるときには常に所望される形態に設定されるようにユーザに促す。例えば、呼鈴装置のオンまたはオフの切替え、振動モードのオンまたはオフの切替え、呼鈴装置の音量設定、特定の番号に対する呼の転送等を行うことができる。
【００１１】
最後にステップ50で、位置および対応する形態設定はメモリ中に記憶される。
【００１２】
最良のモードにおいて、記憶装置40はまたユーザが前に記憶された位置のパラメータを編集することを可能にする。この実施形態において、記憶機能はステップ52により開始され、ユーザに新しい位置を記憶することを好むのか、あるいは古い位置を編集することを好むのかを尋ねる。ユーザが新しい位置を記憶することを希望している場合には、機能はステップ42に進み、それに続いて前述のステップが行われる。
【００１３】
ユーザが前に記憶された位置を編集することを望んでいる場合には、ステップ54でユーザが編集することを望んでいる位置を選択しようとする。その後、動作はステップ48に進み、新しい形態を設定し、ステップ50で前述したようにそれらをメモリに記憶する。
【００１４】
ユーザが記憶された位置に含まれていない特別の“デフォルト”位置が全ての座標として規定される。デフォルト形態はまたステップ54でデフォルト位置が選択されることを許容することによってユーザによって設定されることができる。
【００１５】
図３は、本発明により設計された実行装置70の動作のフロー図である。この装置は電話装置の現在の位置を周期的に検査し、それを記憶された位置と比較する反復動作を行う。記憶された位置に入るとユーザによって特定された前の形態を適用する。また、記憶された位置を出るときに設定された形態に戻り、或いはそれらを記憶されたデフォルト設定に設定する。
【００１６】
自動的形態構成システムが最初にオンに切換えられたとき、実行装置70は先ず、初期条件を設定する（ステップ72）。“前の位置”変数は、電話装置が前の反復中にデフォルト位置にあったのか、記憶された位置の１つにあったのかを思い出す。前の位置変数が最初に“デフォルト”に設定され、利用可能であれば、デフォルト形態設定が適用される。デフォルト設定がユーザにより記憶されていない場合には、現在の設定はデフォルト設定として記憶される。自動的形態構成システムがオンに切換えられたとき電話装置がデフォルト位置にない場合であっても、すなわち，電話装置が記憶された位置の１つにあるときでも、これは実行装置の第１の反復によって治癒される。
【００１７】
反復機能はステップ74で開始され、ｘ分の時間待機し、ここでｘは製造業者によって設定された固定数、またはユーザにより調節可能なパラメータであり、その後位置決定装置22からの現在の位置の情報を得ることができる。
【００１８】
ステップ76で現在の位置は前の位置と比較される。記憶装置について前述したように中心座標および半径によって位置が規定される。現在の位置が前の位置の範囲内にある場合には、ステップ74に戻る。電話装置は同じ位置にあり、形態の変更が行われる必要はなく、そのためシステムは現在の位置の監視を続ける。
【００１９】
現在の位置が前の位置の範囲内にない場合には、電話装置は記憶された位置に入るか、或いはそこから出るかのいずれかである。そのとき実行装置は現在の位置を記憶された前の位置と比較する。
【００２０】
現在の位置が記憶された位置Ｌの範囲内にある場合には電話装置は位置Ｌに入る。ステップ80において動作はこの記憶された位置Ｌに対する前の位置を（次の反復動作のために）設定し、現在の形態を“デフォルト”位置（デフォルト設定がユーザによって記憶されていない場合には）に対するものとして現在の形態を記憶し、位置Ｌに対してこの形態を適用し、ステップ74に戻る。
【００２１】
現在の位置が記憶された位置の範囲内にない場合には、電話装置は記憶された位置から出た状態である。ステップ82において動作は前の位置を（次の反復に対して）“デフォルト”に設定し、“デフォルト”位置に対して記憶された形態を適用してステップ74に戻る。
これは自動形態構成システムが消勢されるまで連続的に反復される。
【００２２】
以上、本発明は特定の応用に対する特定の実施形態を参照にして説明した。当業者は本発明の技術的範囲を逸脱することなく種々の付加的な変形変更、応用、および実施例を認識するであろう。
したがって、これらの変形変更、応用、および実施例は特許請求の範囲に記載された本発明の技術的範囲に含まれるものである。
【図面の簡単な説明】
【００２３】
【図１】本発明による位置に基づいてセルラ電話装置を自動的に再構成するシステムを有する移動体電話装置のブロック図。
【図２】本発明により設計された位置およびユーザ嗜好を記憶されたるの１実施形態によるバッテリ平衡システムの概略ブロック図。
【図３】本発明の１実施形態によるバッテリセルの平衡方法を示す論理フロー図。
【図１】
2004530328.tif 000003
【図２】
2004530328.tif 000004
【図３】
2004530328.tif 000005
【国際公開パンフレット】
2004530328.tif 000006
2004530328.tif 000007
2004530328.tif 000008
2004530328.tif 000009
2004530328.tif 000010
2004530328.tif 000011
2004530328.tif 000012
2004530328.tif 000013
2004530328.tif 000014
2004530328.tif 000015
2004530328.tif 000016
2004530328.tif 000017
【国際公開パンフレット（コレクトバージョン）】
2004530328.tif 000018
2004530328.tif 000019
【国際調査報告】
2004530328.tif 000020
2004530328.tif 000021